(57)【特許請求の範囲】
【請求項１】
水底の岩盤を掘削する方法であって、
ダウンザホールハンマーで掘削するとともに鋼管杭を建て込み、該鋼管杭に支持させて作業床を設置し、先行設置した前記作業床を用いて順次前記鋼管杭の建て込み、前記作業床の設置を行って掘削対象領域に桟橋を設置し、
前記桟橋において適宜の作業をした後に、最前方の作業床を撤去する作業床撤去工程と、
残った作業床に掘削機を配置し、撤去した作業床の部分の前記掘削対象領域の岩盤に複数の掘削孔を穿設する掘削孔穿設工程と、
前記掘削孔穿設工程で穿設された前記掘削対象領域の先端側の鋼管杭を撤去する鋼管杭撤去工程と、
前記掘削対象領域を掘削する掘削工程と、有し、
上記各工程を順番に繰り返し行うことで前記掘削対象領域を掘削することを特徴とする水底の岩盤掘削方法。
【請求項２】
請求項１記載の水底の岩盤掘削方法において、
前記掘削対象領域の岩盤に複数の掘削孔をラップさせずに穿設する際に、ダウンザホール用テンプレートを用いることを特徴とする水底の岩盤掘削方法。
【発明の詳細な説明】
【技術分野】
【０００１】
本発明は、ダム湖底などの水底の岩盤を掘削する方法に関する。
【背景技術】
【０００２】
高度経済成長期前後から多数建設されたダムは、経年的な劣化も認められ、我が国の優れた治水インフラを継続的に維持する観点から、リニューアル工事を随時行ってゆくことが必要になる。
【０００３】
一方、ダムのリニューアル工事を行う際には、ダムを支持する岩盤の掘削が必要になるケースが多々ある。そして、新設のダムであれば発破工法等を適用して岩盤掘削を行うことができるが、リニューアル工事においては、既設ダムを供用しながらの施工になるため、発破工法を適用することができない。
【０００４】
これに対し、ラップしながら岩盤を掘削し、またバケットで掘削土を搬出しながら掘削を進めてゆくＣＤ工法などのオールケーシング工法の適用が検討されている（特許文献１参照）。
【先行技術文献】
【特許文献】
【０００５】
【特許文献１】特開平０７−２９３１６７号公報
【発明の概要】
【発明が解決しようとする課題】
【０００６】
しかしながら、ＣＤ工法などのオールケーシング工法の適用する場合には、岩盤が固いと、ＣＤ工法の前にダウンザホール工法（ダウンザホールハンマーを用いた補助工法）が必要になることが多く、高コスト、工期の長期化を招くおそれがある。
【０００７】
また、ダウンザホール工法は、そのような岩盤にも対応できるが、施工位置を精度よく調整することが非常に難しい。このため、現状では施工性の面も含め、補助工法への適用に限られている。
【０００８】
本発明は、上記事情に鑑み、より効率的にダム湖底などの水底の岩盤を掘削することを可能にした水底の岩盤掘削方法を提供することを目的とする。
【課題を解決するための手段】
【０００９】
上記の目的を達するために、この発明は以下の手段を提供している。
【００１０】
本発明の水底の岩盤掘削方法は、水底の岩盤を掘削する方法であって、ダウンザホールハンマーで掘削するとともに鋼管杭を建て込み、該鋼管杭に支持させて作業床を設置し、先行設置した前記作業床を用いて順次前記鋼管杭の建て込み、前記作業床の設置を行って掘削対象領域に桟橋を設置し、前記桟橋において適宜の作業をした後に、最前方の作業床を撤去する作業床撤去工程と、残った作業床に掘削機を配置し、撤去した作業床の部分の前記掘削対象領域の岩盤に複数の掘削孔を穿設する掘削孔穿設工程と、前記掘削孔穿設工程で穿設された前記掘削対象領域の先端側の鋼管杭を撤去する鋼管杭撤去工程と、前記掘削対象領域を掘削する掘削工程と、有し、上記各工程を順番に繰り返し行うことで前記掘削対象領域を掘削することを特徴とする。
【００１１】
また、本発明の水底の岩盤掘削方法においては、前記掘削対象領域の岩盤に複数の掘削孔をラップさせずに穿設する際に、ダウンザホール用テンプレートを用いることが望ましい。
【発明の効果】
【００１２】
本発明の水底の岩盤掘削方法においては、ダウンザホールハンマーで掘削するとともに鋼管杭を建て込み、作業床を掘削対象領域まで延設し、この作業床から掘削対象領域の岩盤に、ラップさせずに複数の掘削孔を穿設することで、クラブバケットなどを用いて掘削対象領域の岩盤を所定深度まで掘削することができる。
【００１３】
そして、作業床、鋼管杭の撤去を行うとともに、順次掘削孔の穿設、岩盤の掘削を行ってゆくことで、水底の岩盤を効率的に掘削することが可能になる。
【図面の簡単な説明】
【００１４】
【図１】本発明の一実施形態に係る岩盤の掘削方法を示す図である。
【図２】本発明の一実施形態に係る岩盤の掘削方法の手順を示す図である。
【図３】本発明の一実施形態に係る岩盤の掘削方法で用いるダウンザホール用テンプレートの一例を示す図である。
【発明を実施するための形態】
【００１５】
以下、図１から図３を参照し、本発明の一実施形態に係る水底の岩盤掘削方法について説明する。
【００１６】
ここで、本実施形態では、例えば、ダムのリニューアル工事を行うために、ダムを支持する水底の岩盤を掘削するものとして説明を行う。なお、本発明にかかる岩盤掘削方法は、ダムを支持する岩盤の掘削にその適用を限定する必要はなく、海底、川底、湖底など、水底に存在する岩盤を掘削するあらゆるケースに適用可能である。
【００１７】
まずはじめに、本実施形態の水底の岩盤掘削方法では、図１及び図２示すように、陸地Ｒ１から掘削対象領域Ｒ２上に作業足場となる桟橋１を設置する。
【００１８】
このとき、図１、図２（ａ）〜図２（ｆ）に示すように、陸地Ｒ１からダム湖の岩盤Ｇの所定位置をダウンザホールハンマー２で掘削し、掘削孔３に鋼管杭４を建て込み、複数の鋼管杭４に支持させて作業床５を設置する。ここで、本実施形態では作業床５の前端側と後端側にそれぞれ１列ずつ５本の鋼管杭４を設置し、これら鋼管杭４で作業床５を支持する。なお、鋼管杭４の数を限定する必要はなく、例えば作業床５の前端側と後端側の両側端側に鋼管杭４を設置し、１列２本ずつの鋼管杭４作業床５を支持するようにしてもよい。
【００１９】
次に、本実施形態の水底の岩盤掘削方法では、構築した桟橋１を適宜他の作業などに使用した後、図１、図２（ｇ）に示すように、最前方の作業床５（１スパン目の作業床５）を撤去する（作業床撤去工程）。そして、作業床５上に掘削機６を配置し、作業床５を撤去した部分の掘削対象領域Ｒ２の岩盤Ｇの所定位置をダウンザホールハンマー２で掘削する（掘削孔穿設工程）。
【００２０】
このとき、図１、図２、図３（ａ）に示すように、ダウンザホールの掘削位置に応じた複数の貫通孔７が形成された鋼製のダウンザホール用テンプレート（孔あきプレート）８を作業床５を撤去した部分の掘削対象領域Ｒ２に設置する。このダウンザホール用テンプレート８の貫通孔７にダウンザホールハンマー２を配置して掘削してくことで、掘削対象領域Ｒ２に所望の間隔で精度よく整列配置して掘削孔３を穿設することができる。
【００２１】
また、岩盤（地盤）Ｇの強度などに応じて、図３（ｂ）に示すような貫通孔７を千鳥配置して貫通孔７同士の距離を小さくしたダウンザホール用テンプレート８を用いるなどし、掘削孔３を密に配置するようにしてもよい。
なお、掘削孔３の数、配置は地盤Ｇの強度などに応じて決定すればよい。
【００２２】
次に、図２（ｈ）に示すように、ダウンザホール用テンプレート８を撤去し、テンプレートの先端側を支持していた鋼管杭４を撤去する（鋼管杭撤去工程）。そして、複数の掘削孔３を穿設して強度を低下させた桟橋１前方の岩盤領域Ｒ２を桟橋１からグラブバケットで掘削してゆく（掘削工程）。このようにグラブバケットで掘削して土砂を地上に繰り返し排除してゆくことにより、所望の深度まで岩盤領域Ｒ２全体を掘削する。
【００２３】
次に、桟橋１の最前方の作業床５（２スパン目の作業床５）を撤去するとともに、作業床５を撤去した部分の鋼管杭４を引き抜いて撤去する。
【００２４】
このように２スパン目の作業床５及び鋼管杭４を撤去した段階で、ダウンザホール用テンプレート８を用い、桟橋１から岩盤領域Ｒに掘削孔３を穿設し、複数の掘削孔３を穿設して強度を低下させた領域Ｒ２全体の岩盤Ｇを、前述と同様、グラブバケットで所定の深度まで掘削する。
【００２５】
このような作業床５及び鋼管杭４の撤去、ダウンザホール用テンプレート８の設置、複数の掘削孔３の穿設、ダウンザホール用テンプレート８の撤去、クラブバケットでの掘削を繰り返し行うことで、図２（ｉ）、図２（ｊ）に示すように、陸地Ｒ側まで所定領域Ｒの岩盤Ｇを掘削する。
【００２６】
したがって、本実施形態の水底の岩盤掘削方法においては、ダウンザホールハンマー３で掘削するとともに鋼管杭４を建て込み、作業床５を掘削対象領域Ｒ２まで延設し、この作業床５から掘削対象領域Ｒ２の岩盤Ｇに、ラップさせずに掘削孔３を穿設することで、クラブバケットなどを用いて掘削対象領域Ｒ２の岩盤Ｇを所定深度まで掘削することができる。
【００２７】
そして、作業床５、鋼管杭４の撤去を行うとともに、順次掘削孔３の穿設、岩盤Ｇの掘削を行ってゆくことで、水底の岩盤Ｇを効率的に掘削することが可能になる。
【００２８】
以上、本発明に係る水底の岩盤掘削方法の一実施形態について説明したが、本発明は上記の一実施形態に限定されるものではなく、その趣旨を逸脱しない範囲で適宜変更可能である。
【符号の説明】
【００２９】
１      桟橋
２      ダウンザホールハンマー
３      掘削孔
４      鋼管杭
５      作業床
６      掘削機
７      貫通孔
８      ダウンザホール用テンプレート
Ｇ      岩盤
Ｒ１    陸地
Ｒ２    掘削対象領域
【図１】
0006544556.tif 000002
【図２】
0006544556.tif 000003
【図３】
0006544556.tif 000004